【手続補正書】
【提出日】平成26年9月17日(2014.9.17)
【手続補正１】
【補正対象書類名】特許請求の範囲
【補正対象項目名】全文
【補正方法】変更
【補正の内容】
【特許請求の範囲】
【請求項１】
ディスプレイに対し３Ｄ映像コンテンツを調整する方法であって、
立体画像のペアを取出すステップと、
前記立体画像のペアと共にメタデータとして提供される視差情報から前記立体画像のペアに対する最大視差値を取得するステップと、
前記取得された最大視差値を使用して、前記立体画像のペアに対する最大許容シフトを決定するステップと、
前記決定された最大許容シフトを使用して、前記立体画像のペアの左の画像及び右の画像に対する実際のシフトを計算するステップと、
前記計算された実際のシフトに従って、前記左の画像及び前記右の画像をシフトするステップと、
を備えた、前記方法。
【請求項２】
シフト調節パラメータのユーザ入力を取出すステップをさらに備え、前記シフト調節パラメータは、前記立体画像のペアの前記左の画像及び前記右の画像に対する実際のシフトをゼロと前記決定された最大許容シフトとの間の値に制限する、請求項１に記載の方法。
【請求項３】
前記最大許容シフトを決定するステップの前に、時間的なフィルタリングにより前記最大視差値を滑らかにするステップをさらに備えた、請求項１又は２に記載の方法。
【請求項４】
前記時間的なフィルタリングは、カルマンフィルタによって実行される、請求項３に記載の方法。
【請求項５】
前記立体画像のペアと共にメタデータとして提供される前記視差情報は、視差マップ又は視差値である、請求項１ないし４のいずれかに記載の方法。
【請求項６】
前記シフトした左の画像及び前記シフトした右の画像をディスプレイへ送信するステップか、又は前記シフトした左の画像及び前記シフトした右の画像を記憶媒体へ格納するステップをさらに備えた、請求項１ないし５のいずれかに記載の方法。
【請求項７】
ディスプレイに対し３Ｄ映像コンテンツを調整するように構成された装置であって、
立体画像のペアを取出すように構成された入力部と、
前記立体画像のペアと共にメタデータとして提供される視差情報から前記立体画像のペアに対する最大視差値を取得するように構成された視差決定ユニットと、
前記取得された最大視差値から前記立体画像のペアに対する最大許容シフトを決定するように構成された最大シフト決定ユニットと、
前記決定された最大許容シフトから前記立体画像のペアの左の画像及び右の画像に対する実際のシフトを計算するように構成された実シフト計算ユニットと、
前記計算された実際のシフトに従って前記左の画像及び前記右の画像をシフトするように構成された画像シフトユニットと、
を備えた、前記装置。
【請求項８】
前記実シフト計算ユニットに接続されて、シフト調節パラメータを設定するように構成されたユーザインターフェイスをさらに備え、前記シフト調節パラメータは前記立体画像のペアの前記左の画像及び前記右の画像に対する前記実際のシフトをゼロと前記決定された最大許容シフトとの間の値に制限する、請求項７に記載の装置。
【請求項９】
前記視差決定ユニットの下流に設けられた平滑化フィルタであって、前記最大許容シフトを決定する前に、時間的なフィルタリングにより前記最大視差値を滑らかにするように構成された平滑化フィルタをさらに備えた、請求項７又は８に記載の装置。
【請求項１０】
前記平滑化フィルタは、カルマンフィルタである、請求項９に記載の装置。
【請求項１１】
前記立体画像のペアと共にメタデータとして提供される前記視差情報は、視差マップ又は視差値である、請求項７ないし１０のいずれかに記載の装置。
【請求項１２】
前記シフトした左の画像及び前記シフトした右の画像をディスプレイへ送信するように構成された第１の出力部、及び／又は、前記シフトした左の画像と前記シフトした右の画像を記憶媒体へ格納するように構成された第２の出力部をさらに備えた、請求項７ないし１１のいずれかに記載の装置。
【請求項１３】
ディスプレイに対し３Ｄ映像コンテンツを調整するように構成された請求項７に記載の装置と、
前記装置に接続されて、シフト調節パラメータを設定するように構成されたユーザインターフェイスと
を備えた含むシステムであって、
前記シフト調節パラメータは、立体画像のペアの左の画像及び右の画像に対する実際のシフトをゼロと前記決定された最大許容シフトとの間の値に制限する、前記システム。
【手続補正２】
【補正対象書類名】明細書
【補正対象項目名】００４３
【補正方法】変更
【補正の内容】
【００４３】
図７に、本発明による調整方法を実行する装置２０を概略的に示す。装置２０は、立体画像のペアをステップ１０において受信する入力部２１を含む。視差決定ユニット２２は、ステップ１１において、メタデータ評価ユニット３２を使用して立体画像のペアと共に送信されたメタデータから、又は視差推定部３３を使用して視差推定によって、最大視差値ｄmax（ｔ）を取得する。視差決定ユニット２２の下流にある時間フィルタ３１（このフィルタは必須ではない）は、最大視差値ｄmax（ｔ）に対して時間的なフィルタリングを行なう。最大シフト決定ユニット２３は、ステップ１２において最大許容シフトｈMAX（ｔ）を決定する。好ましくは、装置２０は視聴者がシフト調節パラメータαを設定できるようにするユーザインターフェイス２４を有している。実シフト計算ユニット２５は、シフト調節パラメータαを考慮し、フレームに対する最終シフトｈ（ｔ）を（正確には左の画像及び右の画像に対するシフト値ｈ（ｔ）／２を）計算する。画像移動ユニット２６は、ステップ１４において左の画像及び右の画像を最終シフトに従って移動させる。最後に、出力部２７、２８は、ステップ１５において移動された画像をディスプレイへ送信するために設けられるか、記憶媒体３０へ移動された画像を格納するために設けられる。外見上、異なるユニットは単一のユニットに組み込まれていてもよい。これは破線の長方形によって示されている。また、ユーザインターフェイス２４は装置２０に統合される必要はない。入力部を介してユーザインターフェイス２４を装置２０へ接続することも同様に可能である。例えば、本発明による調整方法がセットトップボックスにおいて実行される場合、ユーザインターフェイス２４は、接続されたディスプレイ又はパーソナルコンピュータによって提供してもよく、調節パラメータαをセットトップボックスへ送信してもよい。
［付記１］
ディスプレイに対し３Ｄ映像コンテンツを調整する方法であって、
立体画像のペアを取出すステップと、
前記立体画像のペアに対する最大視差値（ｄmax（ｔ））を取得するステップと、
前記取得された最大視差値（ｄmax（ｔ））を使用して、前記立体画像のペアに対する最大許容シフト（ｈMAX（ｔ））を決定するステップと、
前記決定された最大許容シフト（ｈMAX（ｔ））を使用して、前記立体画像のペアの左の画像及び右の画像に対する実際のシフト（ｈ（ｔ）／２）を計算するステップと、
前記計算された実際のシフト（ｈ（ｔ）／２）に従って、前記左の画像及び前記右の画像を移動するステップと、
を備えたことを特徴とする方法。
［付記２］
前記立体画像のペアの前記左の画像及び前記右の画像に対する実際のシフト（ｈ（ｔ）／２）を計算するステップにおいて、ユーザが設定可能なシフト調節パラメータ（α）を用いることを特徴とする付記１に記載の方法。
［付記３］
前記最大許容シフト（ｈMAX（ｔ））を決定するステップの前に、最大視差値（ｄmax（ｔ））に対して時間的なフィルタリングを実行するステップをさらに備えたことを特徴とする付記１又は２に記載の方法。
［付記４］
前記時間的なフィルタリングは、カルマンフィルタによって実行されることを特徴とする付記３に記載の方法。
［付記５］
前記最大視差値（ｄmax（ｔ））は、前記立体画像のペアに関連するメタデータから取得されるか、又は視差推定により取得されることを特徴とする付記１ないし４のいずれかに記載の方法。
［付記６］
前記移動した左の画像及び前記移動した右の画像をディスプレイへ送信するステップか、前記移動した左の画像及び前記移動した右の画像を記憶媒体へ格納するステップをさらに備えたことを特徴とする付記１ないし５のいずれかに記載の方法。
［付記７］
ディスプレイに対し３Ｄ映像コンテンツを調整する装置であって、
立体画像のペアを取出す入力部と、
前記立体画像のペアに対する最大視差値（ｄmax（ｔ））を取得する視差決定ユニットと、
前記取得された最大視差値（ｄmax（ｔ））から前記立体画像のペアに対する最大許容シフト（ｈMAX（ｔ））を決定する（１２）最大シフト決定ユニットと、
前記決定された最大許容シフト（ｈMAX（ｔ））から前記立体画像のペアの左の画像及び右の画像に対する実際のシフト（ｈ（ｔ）／２）を計算する実シフト計算ユニットと、
前記計算された実際のシフト（ｈ（ｔ）／２）に従って前記左の画像及び前記右の画像を移動させる画像移動ユニットと、
を備えたことを特徴とする装置。
［付記８］
前記実シフト計算ユニットに接続されて、シフト調節パラメータ（α）を設定するユーザインターフェイスをさらに備え、当該パラメータは前記立体画像のペアの前記左の画像及び前記右の画像に対する前記実際のシフト（ｈ（ｔ）／２）を計算する際に用いられることを特徴とする付記７に記載の装置。
［付記９］
前記視差決定ユニットの下流に設けられ、前記最大許容シフト（ｈMAX（ｔ））を決定する前に、前記最大視差値（ｄmax（ｔ））の空間的なフィルタリングを実行する時間フィルタをさらに備えたことを特徴とする付記７又は８に記載の装置。
［付記１０］
前記時間フィルタは、カルマンフィルタであることを特徴とする付記９に記載の装置。
［付記１１］
前記最大視差値（ｄmax（ｔ））は、前記立体画像のペアに関連するメタデータからメタデータ評価ユニットによって、又は視差推定部によって取得されることを特徴とする付記７ないし１０のいずれかに記載の装置。
［付記１２］
前記移動した左の画像及び前記移動した右の画像をディスプレイへ送信する第１の出力部、及び／又は、前記移動した左の画像と前記移動した右の画像を記憶媒体へ格納する第２の出力部をさらに備えたことを特徴とする付記７ないし１１のいずれかに記載の装置。
［付記１３］
ディスプレイに対し３Ｄ映像コンテンツを調整する付記７に記載の装置と、
前記装置に接続されて、シフト調節パラメータ（α）を設定するユーザインターフェイスと
を備えた含むシステムであって、
前記パラメータは、立体画像のペアの左の画像及び右の画像に対する実際のシフト（ｈ（ｔ）／２）を計算する際に前記装置内において用いられることを特徴とするシステム。